(57)【要約】【課題】  ノイズ等の外的要因により一時的にマイコンと外部記憶装置でデータのやりとりができなくなっても、その外的要因が取り除かれると、自動的に本来の動作に復帰することができるようにする。【解決手段】  この発明の制御装置１は、機器を構成する被制御部Ａ，Ｂ，…の制御を行う装置であり、外部記憶部２との通信を行って被制御部Ａ，Ｂ，…の制御に使用するデータを入手する通信手段３と、通信手段３による通信が正常に行われたか否かの判別を行う通信判別手段４と、通信が正常に行われていないとき、継続して外部記憶部２との通信を行うように指令する通信継続指令手段５と、通信が正常に行われていないとき、その旨を報知する報知手段６と、を備えることを特徴としている。【選択図】  図１
2005055026.tif 000002
【特許請求の範囲】
【請求項１】
機器を構成する被制御部の制御を行う制御装置において、
外部記憶部との通信を行って被制御部の制御に使用するデータを入手する通信手段と、
上記通信手段による通信が正常に行われたか否かの判別を行う通信判別手段と、
通信が正常に行われていないとき、継続して外部記憶部との通信を行うように指令する通信継続指令手段と、
通信が正常に行われていないとき、その旨を報知する報知手段と、
を備えることを特徴とする制御装置。
【請求項２】
上記報知手段は、通信が所定回数または所定時間にわたって行われなかったときに報知する、請求項１に記載の制御装置。
【請求項３】
継続して通信を行った結果、通信が正常に完了した場合、通常の制御に復帰する、請求項１または２に記載の制御装置。
【発明の詳細な説明】
【技術分野】
【０００１】
本発明は、機器を構成する被制御部の制御を行う制御装置に関するものである。
【背景技術】
【０００２】
制御装置は、被制御部（例えば制御弁やファン）を動作させ、その弁開度やＤＣファン印加電圧を制御している。この制御を高精度に行おうとする場合、被制御部の駆動回路やフィードバック回路の出力精度が重要である。一方、駆動回路やフィードバック回路には回路を構成する各素子の定数バラツキがあり、この定数バラツキが駆動回路やフィードバック回路の出力精度を確保するのに無視できない場合がある。このような場合、ＥＥＰＲＯＭ等の外部記憶装置に補正データを記憶させておき、マイクロコンピュータがその外部記憶装置と通信でやりとりし、その外部記憶装置から入手した補正データに基づいて各素子の定数を補正し、それによって出力精度を確保するようにしている。
【０００３】
そして、マイクロコンピュータと外部記憶装置との間で通信ができなかった場合、通信異常と判定するが、機器の使用者により早く異常を知らせるため、異常判定回数を少なく設定し、また異常判定時間を短く設定しており、異常と判定されたらその後の機器の動作を停止する。これは外部記憶装置との通信回路を構成する素子の故障が原因の場合には有効である。
【０００４】
しかし、上記のように、異常判定回数または異常判定時間が短く設定してあると、ノイズ等の外的要因により短時間、データのやりとりができなくなった場合でも、外部記憶装置との通信異常と判定し、異常報知および機器の動作を停止し、異常報知後は外部記憶装置との通信を行わないため、―度通信異常を判定した後は、使用者が異常を解除するまで機器が使用できなくなるという問題があった。
【特許文献１】特開２０００−３１４５５４号公報
【発明の開示】
【発明が解決しようとする課題】
【０００５】
この発明は上記に鑑み提案されたもので、ノイズ等の外的要因により一時的にマイコンと外部記憶装置でデータのやりとりができなくなっても、その外的要因が取り除かれると、自動的に本来の動作に復帰することができる制御装置を提供することを目的とする。
【課題を解決するための手段】
【０００６】
上記目的を達成するために、請求項１に記載の発明は、機器を構成する被制御部の制御を行う制御装置において、外部記憶部との通信を行って被制御部の制御に使用するデータを入手する通信手段と、上記通信手段による通信が正常に行われたか否かの判別を行う通信判別手段と、通信が正常に行われていないとき、継続して外部記憶部との通信を行うように指令する通信継続指令手段と、通信が正常に行われていないとき、その旨を報知する報知手段と、を備えることを特徴としている。
【０００７】
また、請求項２に記載の発明は、上記した請求項１に記載の発明の構成に加えて、上記報知手段は、通信が所定回数または所定時間にわたって行われなかったときに報知する、ことを特徴としている。
【０００８】
また、請求項３に記載の発明は、上記した請求項１または２に記載の発明の構成に加えて、継続して通信を行った結果、通信が正常に完了した場合、通常の制御に復帰する、ことを特徴としている。
【発明の効果】
【０００９】
この発明の制御装置では、通信が正常に行われていないとき、継続して外部記憶部との通信を行うようにしたので、ノイズ等の外的要因により一時的にマイコンと外部記憶装置でデータのやりとりができなくなっても、その外的要因が取り除かれた時点で、自動的に本来の動作に復帰することができる。
【発明を実施するための最良の形態】
【００１０】
以下にこの発明の実施の形態を図面に基づいて詳細に説明する。
【００１１】
図１はこの発明の制御装置の全体構成を示す図である。図において、この発明の制御装置１は、機器を構成する被制御部Ａ，Ｂ，…の制御を行う装置であり、外部記憶部２と、通信手段３と、通信判別手段４と、通信継続指令手段５と、報知手段６とを備えている。
【００１２】
制御装置１は、ＣＰＵ、ＲＯＭ、ＲＡＭからなるマイクロコンピュータ（以下、「マイコン」という）１０を中心に構成され、各手段３，４，５，６は、ＣＰＵがこの発明に係るプログラムに従って実行するソフトウェアの機能として構成されている。
【００１３】
制御装置１を構成する各手段３，４，５，６のうち、通信手段３は、外部記憶部２との通信を行って被制御部Ａ，…の制御に使用するデータを入手する。通信判別手段４は、通信手段３による通信が正常に行われたか否かの判別を行う。そして、通信継続指令手段５は、通信が正常に行われていないとき、継続して外部記憶部２との通信を行うように指令する。また、報知手段６は、通信が所定回数または所定時間にわたって正常に行われていないとき、その旨をブザーや表示装置（図示省略）で使用者に報知する。
【００１４】
ここで、この制御装置１を搭載した機器が浴室暖房乾燥機であるとして説明する。浴室暖房乾燥機とは主に浴室や脱衣室等の天井または壁に設置して、状況に応じて温風や涼風を送ったり、湿気を取り除くため換気を行ったりする装置である。この場合、被制御部Ａは、送風用ファンであり、マイコン１０は駆動手段７を介して送風用ファンのＤＣファン印加電圧制御を行う。また、取込手段（フィードバック手段）８は送風用ファンのＤＣファン電流値を読み取り、マイコン１０にフィードバックする。送風用ファンの動作精度を上げるには、駆動手段７，取込手段８の出力精度向上が重要となる。そこで、駆動手段７および取込手段８の回路を構成する各素子の定数を補正する補正データを、予め外部記憶部２（例えばＥＥＰＲＯＭ）に記憶しておき、マイコン１０は、通信手段３によってこの外部記憶部２と通信を行うことで補正データを入手し、その補正データを用いて制御信号生成等を行う。これによって、駆動手段７や取込手段８の出力精度を向上させ、被制御部Ａの動作精度を上げている。
【００１５】
そして、上記したように、通信手段３による通信が正常に行われていないとき、この発明では、通信継続指令手段５が継続して外部記憶部２との通信を行うように指令し、その結果通信が正常に完了した場合、通常の制御に復帰するようにしている。
【００１６】
したがって、ノイズ等の外的要因により一時的にマイコン１０と外部記憶部２との間でデータのやりとりができなくなっても、その外的要因が取り除かれた時点で、自動的に本来の動作に復帰することができ、従来のように、使用者が異常を解除するまで機器が使用できなくなるという事態も解消することができる。
【００１７】
なお、上記の説明では外部記憶部２をＥＥＰＲＯＭであるとしたが、その他の記憶可能な装置、例えばハードディスクやＰＣカードを用いるようにしてもよい。
【００１８】
また、対象となる機器が浴室暖房乾燥機であるとしたが、その他の種々の機器、例えば浴槽自動湯張り機器、空調機、瞬間湯沸かし器、石油ファンヒータ等であっても、同様に本発明を適用することができる。
【図面の簡単な説明】
【００１９】
【図１】この発明の制御装置の全体構成を示す図である。
【符号の説明】
【００２０】
１    制御装置
２    外部記憶部
３    通信手段
４    通信判別手段
５    通信継続指令手段
６    報知手段
７    駆動手段
８    取込手段
Ａ    被制御部
【図１】
2005055026.tif 000003